【事件の表示】
　商願２０００−３９９４６拒絶査定に対する審判事件について、次のとおり審決する。
【結　論】
　原査定を取り消す。
　本願商標は、登録すべきものとする。
【理　由】
１　本願商標
　本願商標は、「ＰＲＯ−ＤＧ」の文字（標準文字）を書してなり、第９類及び第４２類に属する願書に記載のとおりの商品及び役務を指定商品及び指定役務として、平成１２年４月１４日に登録出願、その後、指定商品及び指定役務については、同１３年１１月２６日付け手続補正書をもって、第９類「記録済業務用テレビゲーム機のソフトウェア，業務用テレビゲーム機，その他の遊園地用機械器具，記録済家庭用テレビゲームおもちゃのソフトウェア，家庭用テレビゲームおもちゃ」及び第４２類「電子計算機のプログラム（ゲーム用コンピュータプログラムを含む。）の設計・作成又は保守及びこれらに関するコンサルティング」と補正されたものである。
　
２　引用商標
　原査定において、本願の拒絶の理由に引用した登録第１１９４４０７号商標（以下「引用商標１」という。）は、「プロ」の文字を書してなり、昭和４６年１０月２６日に登録出願、第９類「産業機械器具、動力機械器具（電動機を除く）風水力機械器具、事務用機械器具（電子応用機械器具に属するものを除く）その他の機械器具で他の類に属しないもの、これらの部品及び附属品（他の類に属するものを除く）機械要素、たゞし、かいばおけ、養鶏用かご、印刷または製本機械器具、管継手、パツキング、ガスケツトおよびこれらの類似商品を除く」を指定商品として、同５１年４月１２日に設定登録され、現に有効に存続しているものである。
　同じく、登録第１７９８５１２号商標（以下「引用商標２」という。）は、「ＰＲＯ」の欧文字を書してなり、昭和５５年７月３０日に登録出願、第９類「産業機械器具、動力機械器具（電動機を除く）風水力機械器具、その他の機械器具で他の類に属しないもの、これらの部品及び附属品（他の類に属するものを除く）機械要素（たゞし、かいばおけ、養鶏用かご、印刷または製本機械器具、管継手、パツキング、ガスケツトおよびこれらの類似商品を除く）」を指定商品として、同６０年８月２９日に設定登録され、現に有効に存続しているものである。
　同じく、登録第３２６６２６５号商標（以下「引用商標３」という。）は、別掲のとおりの構成よりなり、平成４年９月２６日に登録出願、第４２類「宿泊施設の提供，宿泊施設の提供の契約の媒介又は取次ぎ，飲食物の提供，美容，理容，入浴施設の提供，写真の撮影，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び処分，産業廃棄物の収集及び処分，庭園又は花壇の手入れ，庭園樹の植樹，肥料の散布，雑草の防除，有害動物の防除（農業・園芸又は林業に関するものに限る。），建築物の設計，測量，地質の調査，デザインの考案，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，健康診断，歯科医業，調剤，栄養の指導，家畜の診療，保育所における乳幼児の保育，老人の養護，編機の貸与，ミシンの貸与，衣服の貸与，植木の貸与，計測器の貸与，コンバインの貸与，祭壇の貸与，自動販売機の貸与，消火器の貸与，超音波診断装置の貸与，展示施設の貸与，電子計算機（中央処理装置及び電子計算機用プログラムを記憶させた電子回路・磁気ディスク・磁気テープその他の周辺機器を含む。）の貸与，布団の貸与，ルームクーラーの貸与」を指定役務として、同９年３月１２日に設定登録されたものである。
　同じく、登録第４０３１８４１号商標（以下「引用商標４」という。）は、「プロ」の文字を書してなり、平成４年９月２６日に登録出願、第４２類「宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び処分，産業廃棄物の収集及び処分，庭園又は花壇の手入れ，庭園樹の植樹，肥料の散布，雑草の防除，有害動物の防除（農業・園芸又は林業に関するものに限る。），建築物の設計，測量，地質の調査，デザインの考案，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，健康診断，歯科医業，調剤，栄養の指導，家畜の診療，保育所における乳幼児の保育，老人の養護，編機の貸与，ミシンの貸与，衣服の貸与，植木の貸与，計測器の貸与，コンバインの貸与，祭壇の貸与，自動販売機の貸与，消火器の貸与，超音波診断装置の貸与，展示施設の貸与，電子計算機（中央処理装置及び電子計算機用プログラムを記憶させた電子回路・磁気ディスク・磁気テープその他の周辺機器を含む。）の貸与，布団の貸与，ルームクーラーの貸与」を指定役務として、同９年７月２５日に設定登録されたものである。
　同じく、登録第４４７８３３７号商標（以下「引用商標５」という。）は、「プロディジー」と「ＰＲＯＤＩＧＹ」の文字を併記してなり、平成１２年３月２２日に登録出願、第９類「測定機械器具，電気磁気測定器，電気通信機械器具，電子応用機械器具及びその部品」を指定商品として、同１３年６月１日に設定登録されたものである。
　
３　当審の判断
　本願商標は、その指定商品及び指定役務について上記１のとおり補正された結果、引用商標５の指定商品と類似の商品はすべて削除されたものと認められる。
　次に、本願商標と引用１ないし４商標との類否について検討するに、本願商標は、前記構成のとおり、「ＰＲＯ」と「ＤＧ」の欧文字をハイフンで結合し「ＰＲＯ−ＤＧ」と同じ書体、同じ大きさで表してなるものであり、その構成文字全体から「プロデイジイ」の称呼が生ずるものであって、特定の観念を有しない不可分一体に表された一種の造語よりなるものと判断するのが相当である。
　他方、引用１ないし４商標は、「プロ」「ＰＲＯ」の文字よりなるものであるから、これより「プロ」の称呼、「専門の、本職の、プロの」の観念が生ずるものと認められる。
  そこで、両称呼を比較するに、本願商標より生ずる「プロデイジイ」の称呼と引用１ないし４商標より生ずる「プロ」の称呼とは、構成音数、音構成において明らかな差異を有するものであるから、彼此相紛れるおそれはないものと認められる。
　また、両商標は、外観上相違し、本願商標は一種の造語よりなるものといえるから、観念上比較すべくもないところである。
　そうとすれば、本願商標と引用１ないし４商標とは、称呼、外観及び観念のいずれにおいても非類似の商標といわなければならない。
　したがって、本願商標が商標法第４条第１項第１１号に該当するとして本願を拒絶した原査定は、取消しを免れない。
　その他、政令で定める期間内に本願について拒絶の理由を発見しない。
　よって、結論のとおり審決する。